(57)【特許請求の範囲】
【請求項１】
システムキッチンのカウンタートップ(10)に形成された開口から上方に突出する二個の単位調理器具(17)(17)の前記突出する部分相互の間隙(11)(11)の全域を塞ぐスペーサであって、
前記スペーサは、前記二個の単位調理器具(17)(17)に連結手段を介して各別に連結されるものであり、
前記連結手段は、
スペーサ本体の下端からカウンタートップ(10)の上面に沿うように前記単位調理器具(17)(17)側に向けて夫々突出し且つ起立片(66)(66)が設けられた一対の延長板(23)(23)と、
前記各単位調理器具(17)(17)に於ける本体ケースの夫々の外周からカウンタートップ(10)の上方に張り出し且つ前記起立片(66)(66)に対して上方から外嵌される差込孔が形成されたフランジとから構成される、スペーサ。
【請求項２】
システムキッチンのカウンタートップ(10)に形成された開口から上方に突出する二個の単位調理器具(17)(17)の前記突出する部分相互の間隙(11)(11)の全域を塞ぐスペーサであって、
前記スペーサは、前記二個の単位調理器具(17)(17)に連結手段を介して各別に連結されるものであり、
前記連結手段は、
前記各単位調理器具(17)(17)の本体ケースの少なくとも上端開放部周縁を各別に覆う被覆体の外周から垂下する垂下板と、該垂下板に外側から重ねられる前記スペーサの側壁と、これらを前記重ね合わせ方向に結着する結着体である、スペーサ。
【請求項３】
システムキッチンのカウンタートップ(10)に形成された開口から上方に突出する二個の単位調理器具(17)(17)の前記突出する部分相互の間隙(11)(11)の全域を塞ぐスペーサであって、
前記スペーサは、前記二個の単位調理器具(17)(17)に連結手段を介して各別に連結されるものであり、
前記各単位調理器具(17)(17)の本体ケースの少なくとも上端開放部周縁を各別に覆い且つ前記カウンタートップ(10)上に突出する被覆体の上面と、前記スペーサの上面が、同一高さに設定されており、
前記スペーサの前後の寸法を前記被覆体の前後の寸法に一致させることにより、前記スペーサの前後辺が前記被覆体の前後辺と一直線状に並ぶように構成した、スペーサ。
【発明の詳細な説明】
【０００１】
【発明の属する技術分野】
本発明は、ドロップインコンロやフライヤー等の単位調理器具を組合せてシステムキッチンのカウンタートップに取付ける組合せ式調理器具、特に、前記単位調理器具の相互間隙を塞ぐスペーサに関するものである。
【０００２】
【従来の技術】
発熱能力が異なる複数のドロップインコンロやフライヤー等の複数の単位調理器具を適宜組合せてシステムキッチンのカウンタートップに取付ける組合せ式調理器具として、図１０に示す如き形式のものがある。
図１１は、図１０に現れる左２つの単位調理器具(17)(17)たるドロップインコンロの装着部の拡大図であるが、カウンタートップ(10)に開設された開口(13)(13)の口縁(14)には本体ケース(18)(18)の上端外周から張り出したフランジ(36)が係合されると共に、該本体ケース(18)の上端開放部は天板(12)(12)で覆われるようになっている。
【０００３】
このものでは、使用者の希望に応じて選択された種々の単位調理器具(17)(17)を組合せてカウンタートップ(10)に設置することができる（図１０参照）。
【０００４】
【発明が解決しようとする課題】
上記従来のものでは、カウンタートップ(10)の上面に露出する各単位調理器具(17)(17)の天板(12)(12)の相互間に間隙(11)(11)が生じる。この間隙(11)(11)は、各単位調理器具(17)(17)に掛けた鍋やフライパン等の円滑な取扱が阻害されない条件下でカウンタートップ(10)上面が有効利用できるように可能な限り小さく設定されている（一般的には約１０ｍｍ程度）。従って、このものでは、単位調理器具(17)(17)間の前記狭い間隙(11)(11)に調理時の煮こぼれが侵入すると、清掃作業がやりにくいという問題があった。
【０００５】
本発明はかかる点に鑑みて成されたもので、各単位調理器具(17)(17)がカウンタートップ(10)上に突出する突出部の相互の間隙(11)(11)が生じないようにして単位調理器具(17)(17)の配設部の清掃が容易に行えるようにすることをその課題とする。
【００１１】
【課題を解決するための手段】
［請求項１に係る発明］
上記課題を解決する為の本発明の技術的手段は、
『システムキッチンのカウンタートップ(10)に形成された開口から上方に突出する二個の単位調理器具(17)(17)の前記突出する部分相互の間隙(11)(11)の全域を塞ぐスペーサであって、
前記スペーサは、前記二個の単位調理器具(17)(17)に連結手段を介して各別に連結されるものであり、
前記連結手段は、
スペーサ本体の下端からカウンタートップ(10)の上面に沿うように前記単位調理器具(17)(17)側に向けて夫々突出し且つ起立片(66)(66)が設けられた一対の延長板(23)(23)と、
前記各単位調理器具(17)(17)に於ける本体ケースの夫々の外周からカウンタートップ(10)の上方に張り出し且つ前記起立片(66)(66)に対して上方から外嵌される差込孔が形成されたフランジとから構成される』ことである。
【００１２】
【作用・効果】
このものによれば、カウンタートップ(10)の上面に突出する単位調理器具(17)(17)の相互間の全域が上記スペーサで塞がれるから、これら各単位調理器具(17)(17)の間に煮こぼれが侵入する間隙(11)(11)が形成される既述従来のものに比べ、単位調理器具(17)(17)の配設部の清掃作業が容易に行える。
又、スペーサと上記単位調理器具(17)(17)が連結手段によって連結一体化されるから、各単位調理器具(17)(17)が一体化されて視覚的に統一された意匠感を確保することができる。
【００１４】
更に、上記技術的手段によれば、隣接する単位調理器具(17)(17)の本体ケースの外周に形成された各フランジ(36)(36)の差込孔(37)(37)を、スペーサ本体下端の延長板(23)(23)から起立突出する起立片(66)(66)に上方から外嵌係合させると、隣接する単位調理器具(17)(17)が前記スペーサを介して相互に連結される。即ち、上記差込孔(37)(37)を前記起立片(66)(66)に上方から外嵌するだけでスペーサと各単位調理器具(17)(17)が連結できるから、該連結作業が簡単に行える。
［その他の請求項に係る発明]
《請求項２に係る発明》
請求項１に係る発明の発明特定事項たる連結手段に代替適用できる連結手段として、
『前記連結手段は、前記各単位調理器具(17)(17)の本体ケースの少なくとも上端開放部周縁を各別に覆う被覆体の外周から垂下する垂下板と、該垂下板に外側から重ねられる前記スペーサの側壁と、これらを前記重ね合わせ方向に結着する結着体である』ものを採用できる。
《請求項３に係る発明》
請求項３に係る発明のように、
『システムキッチンのカウンタートップ(10)に形成された開口から上方に突出する二個の単位調理器具(17)(17)の前記突出する部分相互の間隙(11)(11)の全域を塞ぐスペーサであって、
前記スペーサは、前記二個の単位調理器具(17)(17)に連結手段を介して各別に連結されるものであり、
前記各単位調理器具(17)(17)の本体ケースの少なくとも上端開放部周縁を各別に覆い且つ前記カウンタートップ(10)上に突出する被覆体の上面と、前記スペーサの上面が、同一高さに設定されており、
前記スペーサの前後の寸法を前記被覆体の前後の寸法に一致させることにより、前記スペーサの前後辺が前記被覆体の前後辺と一直線状に並ぶように構成した』ものでは、スペーサと組合せ式調理器具の境界部が面一になって、該部分の清掃が一層容易に行える。
【００１５】
【発明の実施の形態】
次に、上記発明の実施の形態を説明する。
［第１番目の実施の形態］
図１は第１番目の実施の形態を説明する組合せ式調理器具をシステムキッチンのカウンタートップに装着した状態を示す斜視図であり、フライヤー(5) と中能力ドロップインコンロ(3) 及び大能力ドロップインコンロ(4) がカウンタートップ(10)に落とし込み状態に取付けられている。尚、この実施の形態では、上記フライヤー(5) ，中能力ドロップインコンロ(3) 及び大能力ドロップインコンロ(4) の夫々が既述単位調理器具(17)(17)(17)に対応している。そして上記中能力ドロップインコンロ(3) 及び大能力ドロップインコンロ(4) の本体ケース(31)(41)の上端開放部を全体的に覆う天板(32)(42)相互やこれらとフライヤー(5) の本体ケース(51)の上端開放部を全体的に覆う頂部枠(52)の間にはスペーサを構成する帯状隆起部(62)(62)が配設されるようになっている。尚、本実施の形態では、上記天板(32)(42)及び頂部枠(52)が既述の被覆体に対応し、又、天板(32)(42)及び頂部枠(52)が単位調理器具(17)のカウンタートップ(10)上に突出する突出部に対応している。
【００１６】
又、該帯状隆起部(62)(62)は、上記中能力ドロップインコンロ(3) ，大能力ドロップインコンロ(4) 及びフライヤー(5) を相互に連結する為の後述の連結枠(6) から一体的に隆起している。
以下、各部の詳細について更に詳述する。
＊中能力ドロップインコンロ(3) について＊
中能力ドロップインコンロ(3) は、ガスバーナ(35)(35)を収容した本体ケース(31)と、該本体ケース(31)の上端開放部を全体的に覆う天板(32)と、更に、該天板(32)に載置される五徳(34)(34)を具備している。
【００１７】
中能力ドロップインコンロ(3) を構成する本体ケース(31)は上端開放の矩形箱状に形成されていると共に、該本体ケース(31)の上端外周にはフランジ(36)が周設されており、該フランジ(36)の外周コーナ部近傍には、後述の位置決め用の起立片(66)(66)(72)に外嵌する差込孔(37)(37)(37)が開設されている。
上記本体ケース(31)の上端開放部(30)を全体的に覆うように配設される天板(32)は、図２，図３に示すように、中央隆起条(327) を隔ててコンロ前後に配設されたバーナ挿通孔(321) (321) を具備する底板(322) と、該底板(322) の外周から屈曲起立する起立板(324) とその上端から外側に張り出す外周フランジ(323) を具備しており、該外周フランジ(323) の外周から垂下する垂下板(325) はカウンタートップ(10)に開設された開口(13)の外側に載置されるようになっている。又、前記載置状態に於いては、上記垂下板(325) がカウンタートップ(10)に対して垂直に起立した状態になるように構成されている。
【００１８】
又、上記天板(32)のコンロ正面側に対応する部分には、ガスバーナ(35)(35)を点火・消火させたりこれらの火力を調節する為の操作部(326) が設けられており、該操作部(326) と本体ケース(31)内の図示しない制御装置は、図示しないリード線で電気接続されている。
天板(32)に載置装着される二個の五徳(34)(34)は、前記天板(32)の底板(322) に開設されたバーナ挿通孔(321) を包囲するように曲成された正方形状の五徳枠(341) と、該五徳枠(341) からその中心部に向けて延びる爪(342) を具備している。
【００１９】
＊大能力ドロップインコンロ(4) について＊
大能力ドロップインコンロ(4) は、図１，図２に示すように大能力の単一のガスバーナ(45)を備えている点で二個の中能力のガスバーナ(35)(35)を備えている既述中能力ドロップインコンロ(3) と相違している。
この為、上端が開放した矩形箱状の本体ケース(41)の中央部には、大能力のガスバーナ(45)が配設されていると共に、該本体ケース(41)の上端外周のフランジ(46)にはその四隅部近傍に位置する差込孔(47)(47)が開設されている。そして、差込孔(47)(47)のコンロ前後方向の配設間隔及びコンロ横方向の配設間隔は、既述差込孔(37)(37)のそれらと同じ間隔に設定されており、又、これら差込孔(47)(47)と差込孔(37)(37)の寸法も互いに等しく設定されている。
【００２０】
上記本体ケース(41)の上端開放部(40)を全体的に覆う天板(42)の底板(422) には単一のバーナ挿通孔(421) が開設されていると共に、前記底板(422) の外周から屈曲起立する起立板(424) の上端外周には、カウンタートップ(10)に開設された開口(13)の外周に対して上方から係合する外周垂下板(425) を具備する外周フランジ(423) が張り出している。
【００２１】
又、上記天板(42)のコンロ正面側に対応する部分には、ガスバーナ(45)用の操作部(426) が設けられている。
又、上記天板(42)の底板(422) には、五徳枠(441) とその頂部から中心部に向けて延びる爪(442) (442) を具備する五徳(44)が載置されるように成っている。
＊フライヤー(5) について＊
フライヤー(5) は、油槽(53)を具備する上端開放の本体ケース(51)と、該本体ケース(51)の上端開放部(50)周縁部を覆うように配設される頂部枠(52)と、上記上端開放部(50)周縁の後部の一定域を被蓋するように配設される金網(54)を具備している。
【００２２】
本体ケース(51)の上端外周に周設されたフランジ(56)の四隅部には、既述した差込孔(37)(37)(47)(47)と同じ配設態様で配設され且つこれらと同一形状を有する差込孔(57)(57)が形成されている。
又、頂部枠(52)を横方向（カウンタートップ(10)の長手方向）に切断した断面形状は図５に示す如く構成されている。即ち、頂部枠(52)の外周には垂下板(525) が屈曲垂下していると共に、その上端から内側に直角に屈曲する水平板(524) の内周には、下方に屈曲する内側垂下板(527) が延長されており、更に該内側垂下板(527) の下端には内側に張り出したフランジ部(528) が設けられている。そして、頂部枠(52)の後部のフランジ部(528) には金網(54)の外周部が載置されるようになっている。
【００２３】
＊連結枠(6) について＊
次に、上記中能力ドロップインコンロ(3) ，大能力ドロップインコンロ(4) 及びフライヤー(5) を相互に連結する連結枠(6) について説明する。
上記中能力ドロップインコンロ(3) ，大能力ドロップインコンロ(4) 及びフライヤー(5) は、図２に示す連結枠(6) (6) で連結されるように成っていると共に、中能力ドロップインコンロ(3) を構成する本体ケース(31)の上端外周のフランジ(36)は、図２に現れる補助枠(7) に載置されるようになっている。
【００２４】
上記連結枠(6) は図２，図６に示す構造を有しており、平面視が長方形に形成された枠部(61)と、その一方の長辺部に沿って屈曲隆起するスペーサ本体としての帯状隆起部(62)を具備していると共に、該帯状隆起部(62)は既述天板(32)(42)や頂部枠(52)の前後方向長さ（カウンタートップ(10)の前縁と後縁を繋ぐ方向の長さ）と一致している。更に、該帯状隆起部(62)に於ける上記枠部(61)と反対側の側部下端には、カウンタートップ(10)上面に沿って延びるように形成された水平板部(64)が設けられている。又、連結枠(6) は、一枚の金属板をプレス抜き及び曲げ加工して形成したもので、枠部(61)の内周には屈曲板(68)(68)が屈曲垂下している。
【００２５】
又、帯状隆起部(62)の長手方向の両端近傍の両脇には、４個の起立片(66)(66)が切り起こされており、該起立片(66)(66)は、既述した中能力ドロップインコンロ(3) や大能力ドロップインコンロ(4) やフライヤー(5) の本体ケース(31)(41)(51)の上端外周のフランジ(36)(46)(56)に開設された差込孔(37)(47)(57)に挿入されるようになっている。
【００２６】
従って、このものでは、スペーサ本体として機能する連結枠(6) の帯状隆起部(62)の下端から枠部(61)の起立片(66)の配設部までの水平板部(65)（図６参照）と、該水平板部(65)と反対方向に突出する前記水平板部(64)が、帯状隆起部(62)の下端外周から外向きに突出する既述延長板(23)(23)に対応している。又、帯状隆起部(62)とその下端から突出する上記水平板部(65)(64)の組み合わせが既述スペーサに対応している。
【００２７】
帯状隆起部(62)の上板部(621) とその両側部の側板(620) (620) は互いに直角に曲げられていると共に、該側板(620) とその下端に続く水平板部(64)(65)及び枠部(61)も互いに直角になるように曲げられている。
従って、後述するように中能力ドロップインコンロ(3) や大能力ドロップインコンロ(4) 等を連結枠(6) で連結したときには、中能力ドロップインコンロ(3) 等の天板(32)(42)外周の垂下板(325) (425) が帯状隆起部(62)の側板(620) に密着状態で面接触し、これにより、これら垂下板(325) と側板(620) 間へのゴミの侵入が確実に抑えられる。又、上記連結状態においては、帯状隆起部(62)と天板(32)(42)の頂面が面一になる。
【００２８】
尚、上記枠部(61)を具備させるのは、帯状隆起部(62)の下端から屈曲する水平板部(65)（図６参照）を含めた枠部(61)の上面全体に対して天板(42)の外周垂下板(425) を全周に亘って接触させるためである。これにより、上記外周垂下板(425) の下端全周とカウンタートップ(10)の間に間隙が形成されるのが防止できる。
【００２９】
＊カウンタートップ(10)について＊
図２に示すように、システムキッチンのカウンタートップ(10)には、中能力ドロップインコンロ(3) ，大能力ドロップインコンロ(4) 及びフライヤー(5) の本体ケース(31)(41)(51)の胴部より一回り大きな長方形の開口(13)(13)(13)が所定間隔で形成されている。尚、上記各本体ケース(31)(41)(51)を一括して落とし込める大きさの単一の矩形孔をカウンタートップ(10)に形成することも可能である。
【００３０】
＊補助枠(7) について＊
補助枠(7) は長方形枠状に形成されていると共に、その枠部(70)の内周縁からは屈曲板(71)(71)が屈曲垂下している。又、補助枠(7) の一方の長辺部には、その内縁部を切り起こして形成した起立片(72)(72)が設けられている。そして、該起立片(72)(72)は、中能力ドロップインコンロ(3) の本体ケース(31)の上端のフランジ(36)に形成された前後一対の差込孔(37)(37)に挿入されるようになっている。尚、図２に於ける中能力ドロップインコンロ(3) の位置に大能力ドロップインコンロ(4) やフライヤー(5) が配列される場合には、補助枠(7) の上記起立片(72)(72)は、大能力ドロップインコンロ(4) 又はフライヤー(5) の本体ケース(41)(51)の上端に形成されたフランジ(46)(56)の差込孔(47)(47)(57)(57)に挿入される。
【００３１】
補助枠(7) の枠部(70)は、既述枠体(6) の枠部(61)と同一の機能を有している。即ち、帯状隆起部(62)の下端から屈曲する水平板部(64)（図６参照）を含めた枠部(71)の上面全体に対して天板(32)の外周垂下板(325) を全周に亘って接触させ、これにより、該垂下板(325) 全周とカウンタートップ(10)の間に間隙が形成されるのを防ぐためである。
【００３２】
＊カウンタートップ(10)への取付け作業＊
次に、上記中能力ドロップインコンロ(3) ，大能力ドロップインコンロ(4) 及びフライヤー(5) をカウンタートップ(10)に取付ける作業を説明する。
カウンタートップ(10)に開設された開口(13)(13)(13)のうち、大能力ドロップインコンロ(4) とフライヤー(5) を装着する開口(13)(13)に連結枠(6) (6) を取付ける。即ち、図６の想像線で示すように、カウンタートップ(10)の開口(13)に連結枠(6) の枠部(61)の内周から屈曲垂下する屈曲板(68)(68)の部分を挿入すると共に、開口(13)の口縁(14)に上記枠部(61)の外周を係止させる。そして、この枠部(61)の取付け作業を、隣接する一対の開口(13)(13)の夫々について行う。次に、中能力ドロップインコンロ(3) を装着する為の残余の開口(13)に補助枠(7) を上記連結枠(6) と同様に取付ける。
【００３３】
次に、図３に示すように、連結枠(6) の枠部(61)内に大能力ドロップインコンロ(4) の本体ケース(41)の胴部(49)を上方から落とし込むと共に、該本体ケース(41)の上端外周から張り出すフランジ(46)に開設された差込孔(47)を、連結枠(6) の起立片(66)に外嵌させて図４の状態にする。又、上記フランジ(46)のフライヤー(5) 側の長辺部に開設された差込孔(47)(47)を、該フライヤー(5) に対応する連結枠(6) の起立片(66)(66)（帯状隆起部(62)の大能力ドロップインコンロ(4) 側に設けられている（図２参照））に外嵌させる。すると、大能力ドロップインコンロ(4) の本体ケース(41)が隣接する二個の連結枠(6) (6) に結合される。
【００３４】
次に、図３に示すように、中能力ドロップインコンロ(3) の本体ケース(31)の胴部(39)を補助枠(7) の中央孔に落とし込む。又、このとき、中能力ドロップインコンロ(3) の本体ケース(31)上端に形成されたフランジ(36)の大能力ドロップインコンロ(4) 側の長辺部に開設された前後一対の差込孔(37)(37)を、上記連結枠(6) の起立片(66)(66)（帯状隆起部(62)の下端から中能力ドロップインコンロ(3) 側に延長する水平板部(64)に設けられている）に外嵌させる。又、中能力ドロップインコンロ(3) の本体ケース(31)上端に形成されたフランジ(36)の大能力ドロップインコンロ(4) と反対側の長辺部に開設された差込孔(37)(37)を補助枠(7) から起立する起立片(72)(72)に外嵌させる。
【００３５】
すると、図４に示すように、大能力ドロップインコンロ(4) と中能力ドロップインコンロ(3) の本体ケース(41)(31)が連結枠(6) で連結された状態になる。又、フライヤー(5) の本体ケース(51)は、上記大能力ドロップインコンロ(4) と同様にして連結枠(6) の枠部(61)に装着する。
又、中能力ドロップインコンロ(3) 及び大能力ドロップインコンロ(4) の本体ケース(31)(41)を補助枠(7) 及び連結枠(6) に装着した後には、図４に示すように、各本体ケース(31)(41)の側壁から螺入した固定ネジ(81)(82)の先端を、カウンタートップ(10)の開口(13)の内周面(16)に当接させ、これにより、中能力ドロップインコンロ(3) と大能力ドロップインコンロ(4) の本体ケース(31)(41)を所定位置に固定する。又、フライヤー(5) の本体ケース(51)も上記固定ネジ(81)(82)と同様の固定ネジで所定位置に固定する。
【００３６】
次に、中能力ドロップインコンロ(3) と大能力ドロップインコンロ(4) の本体ケース(31)(41)の上端開放部を天板(32)(42)で覆うと共にこれらに五徳(34)(44)を装着し、又、フライヤー(5) の本体ケース(51)の外周に頂部枠(52)を装着してこれに金網(54)を取付けると、図１に示すように、中能力ドロップインコンロ(3) ，大能力ドロップインコンロ(4) 及びフライヤー(5) の相互の間隙全域が連結枠(6) (6) の帯状隆起部(62)(62)で塞がれた状態になる。従って、既述従来のように、中能力ドロップインコンロ(3) ，大能力ドロップインコンロ(4) 及びフライヤー(5) の間に既述従来の間隙(11)（図１０参照）に相当するものが形成されない。
【００３７】
よって、調理時の煮こぼれが単位調理器具(17)(17)としての中能力ドロップインコンロ(3) ，大能力ドロップインコンロ(4) 及びフライヤー(5) の相互間に落下してもこれが付着する帯状隆起部(62)(62)の表面を清掃すればよい。このことから、中能力ドロップインコンロ(3) ，大能力ドロップインコンロ(4) 及びフライヤー(5) の配設部の清掃作業が容易に行える。
【００３８】
又、各中能力ドロップインコンロ(3) や大能力ドロップインコンロ(4) 等の相互間が上記連結枠(6) (6) の帯状隆起部(62)(62)で埋められるから、各中能力ドロップインコンロ(3) や大能力ドロップインコンロ(4) 等が一体化されて視覚的に統一された意匠感を確保することができる。
尚、中能力ドロップインコンロ(3) と大能力ドロップインコンロ(4) とフライヤー(5) の天板(32)(42)及び頂部枠(52)と連結枠(6) の帯状隆起部(62)(62)の境界部に液密性を確保する為のシリコン樹脂等のシール材（図示せず）を充填すると、これら帯状隆起部(62)(62)と天板(32)(42)及び頂部枠(52)の境界部に鍋からの煮こぼれが侵入する不都合を一層確実に防止することができる。
［第２番目の実施の形態］
次に、第２番目の実施の形態を図７，図８に基づいて説明する。
【００３９】
このものは、中能力ドロップインコンロ(3) の天板(32)と大能力ドロップインコンロ(4) の天板(42)の間にスペーサたる下端開放の矩形箱(84)を介装するものである。このものでは、中能力ドロップインコンロ(3) や大能力ドロップインコンロ(4) の本体ケース(31)(41)の上端外周のフランジ(36)(46)には、既述第１番目の実施の形態で説明した差込孔(37)(47)に相当するものは設けられていない。
【００４０】
中能力ドロップインコンロ(3) と大能力ドロップインコンロ(4) の天板(32)(42)の垂下板(325) (425) には、図８に示すように、透孔(75)(76)が前後に間隔を置いて形成されていると共に、該透孔(75)(76)には、矩形箱(84)の長辺部から屈曲垂下する垂下側板(77)(77)に形成された螺孔(78)(78)が重ね合わされるようになっている。そして、該重ね合わせ部が結着体としてのビス(58)(58)で締め付けて結合される。尚、矩形箱(84)と本体ケース(31)(41)の境界部には液密性を確保する為のシールパッキン(85)(85)が介装されている。
【００４１】
又、上記天板(32)(42)と矩形箱(84)をビス止めするには、上下反転させた天板(31)(41)及び矩形箱(84)を連結すべき順序で作業台上に並べ、天板(32)(42)と矩形箱(84)の接合部をビス(58)(58)で結合する。
このものでも、中能力ドロップインコンロ(3) と大能力ドロップインコンロ(4) 等の単位調理器具の間がスペーサたる矩形箱(84)で埋められるから、これら単位調理器具の相互間に煮こぼれが落下してもこれが付着する矩形箱(84)の表面を掃除すればよく、該部分の清掃が容易に行える。
【００４２】
尚、上記題２番目の実施の形態では、矩形箱(84)とこれに隣接する天板(32)(42)等をビス(58)(58)で連結したが、図９に示すように、天板(32)(42)の外周の垂下板(325) (425) を外側に切り起こして係合屈曲部(329) (429) を形成する一方、矩形箱(84)の側板に下方に開放する切欠(841) (842) を形成し、これら切欠(841) (842) と係合屈曲部(329) (329) を利用して矩形箱(84)と天板(32)(42)を結合することもできる。即ち、矩形箱(84)の幅と一致する間隔を存して並べた天板(32)(42)の間に前記矩形箱(84)を上方から差し込むことによって、矩形箱(84)の両側板の切欠(841) (842) に係合屈曲部(329) (429) を係合させ、これにより、天板(32)(42)相互を連結する。
【図面の簡単な説明】
【図１】中能力ドロップインコンロ(3) ，大能力ドロップインコンロ(4) 及びフライヤー(5) を取付けたカウンタートップ(10)の上面の斜視図
【図２】図１の分解斜視図
【図３】中能力ドロップインコンロ(3) と大能力ドロップインコンロ(4) をカウンタートップ(10)に取付ける取付け作業の説明図
【図４】中能力ドロップインコンロ(3) と大能力ドロップインコンロ(4) の境界部の断面図
【図５】頂部枠(52)の断面図
【図６】連結枠(6) の断面図
【図７】第２番目の実施の形態の分解斜視図
【図８】第２番目の実施の形態に於ける中能力ドロップインコンロ(3) と大能力ドロップインコンロ(4) の境界部の断面図
【図９】矩形箱(84)の変形例を説明する要部の断面図
【図１０】従来例の説明図
【図１１】従来例の説明図
【符号の説明】
(10)・・・カウンタートップ
(11)・・・間隙
(17)・・・単位調理器具
(23)・・・延長板
(36)・・・フランジ
(37)・・・差込孔
(66)・・・起立片
【図１】
0003703965.tif 000002
【図２】
0003703965.tif 000003
【図３】
0003703965.tif 000004
【図４】
0003703965.tif 000005
【図５】
0003703965.tif 000006
【図６】
0003703965.tif 000007
【図７】
0003703965.tif 000008
【図８】
0003703965.tif 000009
【図９】
0003703965.tif 000010
【図１０】
0003703965.tif 000011
【図１１】
0003703965.tif 000012